(57)【特許請求の範囲】
【請求項１】
回線交換機能および回線障害設定機能を持つ電話回線シミュレータを用いて、発呼側のコンピュータ端末からアナログモデムに発呼を促すことによって他方のアナログモデムに接続している着呼側のコンピュータ端末と接続させ、発呼側のコンピュータ端末から着呼側のコンピュータ端末にデータを伝送させることによってモデムの性能の評価を行うシステムであって、
上記発呼側のコンピュータ端末に、
ＧＰ−ＩＢインタフェースを介して上記電話回線シミュレータに回線障害設定を行う第１の手段と、
ＰＰＰプロトコルを用いてのダイヤルアップを行う第２の手段と、
ＦＴＰクライアントとしてのＦＴＰサーバへのログインおよびＦＴＰサーバとのデータの送受信を行う第３の手段と、
上記第１〜第３の手段のそれぞれの動作をプログラムによりシーケンシャルに制御する第４の手段とを設けたことを特徴とするモデム評価システム。
【請求項２】
回線交換機能および回線障害設定機能を持つ電話回線シミュレータを用いて、発呼側のコンピュータ端末からアナログモデムに発呼を促すことによって他方のアナログモデムに接続している着呼側のコンピュータ端末と接続させ、発呼側のコンピュータ端末から着呼側のコンピュータ端末にデータを伝送させることによってモデムの性能の評価を行うシステムであって、
上記発呼側のコンピュータ端末に、
ＧＰ−ＩＢインタフェースを介して上記電話回線シミュレータに回線障害設定を行う第１の手段と、
ＰＰＰプロトコルを用いてのダイヤルアップを行う第２の手段と、
ＷＷＷサーバからのデータのダウンロードを行う第３の手段と、
上記第１〜第３の手段のそれぞれの動作をプログラムによりシーケンシャルに制御する第４の手段とを設けたことを特徴とするモデム評価システム。
【請求項３】
回線交換機能および回線障害設定機能を持つ電話回線シミュレータを用いて、発呼側のコンピュータ端末からアナログモデムに発呼を促すことによって他方のアナログモデムに接続している着呼側のコンピュータ端末と接続させ、発呼側のコンピュータ端末から着呼側のコンピュータ端末にデータを伝送させることによってモデムの性能の評価を行うシステムであって、
上記発呼側のコンピュータ端末に、
ＧＰ−ＩＢインタフェースを介して上記電話回線シミュレータに回線障害設定を行う第１の手段と、
ＳＬＩＰプロトコルを用いてのダイヤルアップを行う第２の手段と、
ＦＴＰクライアントとしてのＦＴＰサーバへのログインおよびＦＴＰサーバとのデータの送受信を行う第３の手段と、
上記第１〜第３の手段のそれぞれの動作をプログラムによりシーケンシャルに制御する第４の手段とを設けたことを特徴とするモデム評価システム。
【請求項４】
回線交換機能および回線障害設定機能を持つ電話回線シミュレータを用いて、発呼側のコンピュータ端末からアナログモデムに発呼を促すことによって他方のアナログモデムに接続している着呼側のコンピュータ端末と接続させ、発呼側のコンピュータ端末から着呼側のコンピュータ端末にデータを伝送させることによってモデムの性能の評価を行うシステムであって、
上記発呼側のコンピュータ端末に、
ＧＰ−ＩＢインタフェースを介して上記電話回線シミュレータに回線障害設定を行う第１の手段と、
ＳＬＩＰプロトコルを用いてのダイヤルアップを行う第２の手段と、
ＷＷＷサーバからのデータのダウンロードを行う第３の手段と、
上記第１〜第３の手段のそれぞれの動作をプログラムによりシーケンシャルに制御する第４の手段とを設けたことを特徴とするモデム評価システム。
【請求項５】
回線交換機能および回線障害設定機能を持つ電話回線シミュレータを用いて、発呼側のコンピュータ端末からアナログモデムに発呼を促すことによって他方のディジタルモデムに接続している着呼側のコンピュータ端末と接続させ、発呼側のコンピュータ端末から着呼側のコンピュータ端末にデータを伝送させることによってモデムの性能の評価を行うシステムであって、
上記発呼側のコンピュータ端末に、
ＧＰ−ＩＢインタフェースを介して上記電話回線シミュレータに回線障害設定を行う第１の手段と、
ＰＰＰプロトコルを用いてのダイヤルアップを行う第２の手段と、
ＦＴＰクライアントとしてのＦＴＰサーバへのログインおよびＦＴＰサーバとのデータの送受信を行う第３の手段と、
上記第１〜第３の手段のそれぞれの動作をプログラムによりシーケンシャルに制御する第４の手段とを設けたことを特徴とするモデム評価システム。
【請求項６】
回線交換機能および回線障害設定機能を持つ電話回線シミュレータを用いて、発呼側のコンピュータ端末からアナログモデムに発呼を促すことによって他方のディジタルモデムに接続している着呼側のコンピュータ端末と接続させ、発呼側のコンピュータ端末から着呼側のコンピュータ端末にデータを伝送させることによってモデムの性能の評価を行うシステムであって、
上記発呼側のコンピュータ端末に、
ＧＰ−ＩＢインタフェースを介して上記電話回線シミュレータに回線障害設定を行う第１の手段と、
ＰＰＰプロトコルを用いてのダイヤルアップを行う第２の手段と、
ＷＷＷサーバからのデータのダウンロードを行う第３の手段と、
上記第１〜第３の手段のそれぞれの動作をプログラムによりシーケンシャルに制御する第４の手段とを設けたことを特徴とするモデム評価システム。
【請求項７】
回線交換機能および回線障害設定機能を持つ電話回線シミュレータを用いて、発呼側のコンピュータ端末からアナログモデムに発呼を促すことによって他方のディジタルモデム機能を有するリモートアクセスサーバと接続させ、該リモートアクセスサーバと発呼側のコンピュータ端末との間でデータを伝送させることによってモデムの性能の評価を行うシステムであって、
上記発呼側のコンピュータ端末に、
ＧＰ−ＩＢインタフェースを介して上記電話回線シミュレータに回線障害設定を行う第１の手段と、
ＰＰＰプロトコルを用いてのダイヤルアップを行う第２の手段と、
ＦＴＰクライアントとしてのＦＴＰサーバへのログインおよびＦＴＰサーバとのデータの送受信を行う第３の手段と、
上記第１〜第３の手段のそれぞれの動作をプログラムによりシーケンシャルに制御する第４の手段とを設けたことを特徴とするモデム評価システム。
【請求項８】
回線交換機能および回線障害設定機能を持つ電話回線シミュレータを用いて、発呼側のコンピュータ端末からアナログモデムに発呼を促すことによって他方のディジタルモデム機能を有するリモートアクセスサーバと接続させ、該リモートアクセスサーバと発呼側のコンピュータ端末との間でデータを伝送させることによってモデムの性能の評価を行うシステムであって、
上記発呼側のコンピュータ端末に、
ＧＰ−ＩＢインタフェースを介して上記電話回線シミュレータに回線障害設定を行う第１の手段と、
ＰＰＰプロトコルを用いてのダイヤルアップを行う第２の手段と、
ＷＷＷサーバからのデータのダウンロードを行う第３の手段と、
上記第１〜第３の手段のそれぞれの動作をプログラムによりシーケンシャルに制御する第４の手段とを設けたことを特徴とするモデム評価システム。
【請求項９】
回線交換機能およびＤＳＬ回線障害設定機能を持つＤＳＬ回線シミュレータを用いて、発呼側のコンピュータ端末からＡＤＳＬモデムに発呼を促すことによって他方のＡＤＳＬモデムに接続している着呼側のコンピュータ端末に接続し、発呼側のコンピュータ端末から着呼側のコンピュータ端末にデータを伝送させることによってモデムの性能の評価を行うシステムであって、
上記発呼側のコンピュータ端末に、
ＧＰ−ＩＢインタフェースを介して上記ＤＳＬ回線シミュレータに回線障害設定を行う第１の手段と、
ＰＰＰプロトコルを用いてのダイヤルアップを行う第２の手段と、
ＦＴＰクライアントとしてのＦＴＰサーバへのログインおよびＦＴＰサーバとのデータの送受信を行う第３の手段と、
上記第１〜第３の手段のそれぞれの動作をプログラムによりシーケンシャルに制御する第４の手段とを設けたことを特徴とするモデム評価システム。
【請求項１０】
回線交換機能およびＤＳＬ回線障害設定機能を持つＤＳＬ回線シミュレータを用いて、発呼側のコンピュータ端末からＡＤＳＬモデムに発呼を促すことによって他方のＡＤＳＬモデムに接続している着呼側のコンピュータ端末に接続し、発呼側のコンピュータ端末から着呼側のコンピュータ端末にデータを伝送させることによってモデムの性能の評価を行うシステムであって、
上記発呼側のコンピュータ端末に、
ＧＰ−ＩＢインタフェースを介して上記ＤＳＬ回線シミュレータに回線障害設定を行う第１の手段と、
ＰＰＰプロトコルを用いてのダイヤルアップを行う第２の手段と、
ＷＷＷサーバからのデータのダウンロードを行う第３の手段と、
上記第１〜第３の手段のそれぞれの動作をプログラムによりシーケンシャルに制御する第４の手段とを設けたことを特徴とするモデム評価システム。
【発明の詳細な説明】
【０００１】
【発明の属する技術分野】
本発明は、アナログモデムやＤＳＬ（Digital Subscriber Line）モデム等のモデム性能の評価技術に係わり、特に、種々のモデムの自動性能評価を効率的に行うのに好適なモデム評価システムに関するものである。
【０００２】
【従来の技術】
従来から、電話回線シミュレータを用いて２つのアナログモデムの性能評価を行う技術が知られている。
【０００３】
図３は、従来の電話回線シミュレータを用いたモデム評価システムの第１の構成を示すブロック図である。
【０００４】
図３に示す従来のモデム評価システムでは、電話回線シミュレータ１１ｂと、加入者線路網シミュレータ１２ｂと、通信機能を持つターミナル・ソフトウェアをインストールした発呼側モデム１６ｂおよび着信側モデム１５ｂ、それぞれのコンピュータ端末となる発呼側パーソナルコンピュータ（以下「発呼側ＰＣ」と記載）１４ｂおよび着呼側パーソナルコンピュータ（以下「着呼側ＰＣ」と記載）１３ｂを用いる。
【０００５】
ここで、通信機能を持つターミナル・ソフトとして、ＰＰＰ（Point to Point Protocol）プロトコルを用いるダイヤリング機能を持つものを使用した場合には、着呼側ＰＣ１３ｂ上ではＦＴＰ（File Transfer Protocol）サーバ・ソフトを、発呼側ＰＣ１４ｂ上ではＦＴＰクライアント・ソフトを、それぞれ起動することにより、ＦＴＰプロトコル上でデータを送受信するのがが一般的である。
【０００６】
このモデム評価システムを用いて、単位時間あたりの伝送ビット数を調べるスループットテストを実施する場合には、伝送データのバイト数を、所要時間で割ることにより求められる。
【０００７】
尚、所要時間については、ターミナル・ソフトに所要時間を表示する機能がある場合にはそれを使用して求め、所要時間を表示する機能が無い場合には、着呼側ＰＣ１５ｂと着信側モデム１５ｂの間にプロトコルアナライザなどを使用することにより求めることが一般的である。
【０００８】
また、このようなモデム評価を自動的に実施する従来技術として、図４に示すシステムがある。
【０００９】
図４は、従来の電話回線シミュレータを用いたモデム評価システムの第２の構成を示すブロック図である。
【００１０】
この図４に示すモデム評価システムは、電話回線シミュレータ１１ｃと加入者線路網シミュレータ１２ｃに、発呼側と着呼側の共通端末となる装置、発呼側・着呼側共通端末１７を組み合わせて使用するものである。
【００１１】
この発呼側・着呼側共通端末１７は、評価設定用に設けられたパーソナルコンピュータ（以下「ＰＣ」と記載）１３からのＲＳ−２３２Ｃ信号をＧＰ−ＩＢ（General Purpose Interface Bus）信号に変換し、評価の項目に応じて電話回線シミュレータ１１ｃおよび加入者線路網シミュレータ１２ｃを設定する機能に加え、送・受信データを比較する機能を持ち、専用の自動評価ツールをＰＣ１３上で動作させることにより、スループットテストなどの評価を自動的に実施することができる。
【００１２】
しかし、このような発呼側・着呼側共通端末１７、および、その端末専用の評価ツールを用いての自動評価技術では、発呼側・着呼側共通端末１７からのＡＴコマンドによりダイヤリングを行うことにより無手順で接続し、データ伝送も、たれ流し方式に行われる。
【００１３】
ところが、現在では、インターネット・サービス・プロバイダ（ＩＳＰ）へのアクセスをはじめ、ほとんど全てのダイヤルアップ接続において、ＰＰＰプロトコルが用いられ、接続が確立した後の、発呼側（クライアント）と着呼側（プロバイダ）の間でのデータ伝送は、ＰＰＰフレームの形で行われる。
【００１４】
これは、ダイヤルアップ接続を行った後に、ＴＣＰ／ＩＰ（Transmission Control Protocol/Internet Protocol）、ＩＰＸ／ＳＰＸ（Internetwork Packet eXchange/Sequenced Packet eXchange）などのＯＳＩ（Open System Interconnection）基本参照モデルのネットワーク層以上の層に該当するさまざまなプロトコルを使用するためには、ＰＰＰプロトコルが不可欠であるためである。
【００１５】
そのため、図４に示す構成のモデム評価システムでは、インターネットを利用する場合をはじめとする、現在の使用状態に近い環境をシミュレートしたうえでのモデム評価が実施できない。
【００１６】
また、実際にモデムの評価を行う場合には、回線障害の種類、エラープロトコルの種類、データ伝送方向など、いくつかのパラメータがある。特に、Ｖ．９０モデムの回線のモデリングとして、正式に勧告化される可能性が大きいと思われる文書（ＰＮ３８５７）には、Ｖ．９０変調モードの対象となるものだけでも、１６０種類の回線が規定されているので、パラメータの組み合わせ数は膨大な数になる。
【００１７】
そのため、図３に示す従来のモデム評価システムを用いての、電話回線シミュレータ１１ｂの回線障害の設定、ＰＰＰプロトコルを用いての発呼、ＦＴＰサーバへのログイン、ＦＴＰサーバとのデータの送受信など、全ての作業を手動で実施すると、作業量が膨大になってしまう。
【００１８】
尚、このようなＰＰＰプロトコルによる通信技術に関しては、例えば、特開平１１−２７５１５６号公報、および、特開２０００−１７４８０９号公報などに記載されている。
【００１９】
【発明が解決しようとする課題】
解決しようとする問題点は、従来の技術では、インターネットを利用する場合をはじめとする、現在の使用状態に近い環境をシミュレートしたうえでのモデム評価を効率的に行うことができない点である。
【００２０】
本発明の目的は、これら従来技術の課題を解決し、現在の使用状態に近い、ＰＰＰプロトコルを用いた環境のもとでのモデム評価を、自動的に実施することができ、回線の種類をはじめとする、膨大な数のパラメータに対する評価を、短時間に、しかもユーザーの作業量を大幅に減少させながら実施することを可能とするモデム評価システムを提供することである。
【００２１】
【課題を解決するための手段】
上記目的を達成するため、本発明では、コンピュータ端末からの、ＧＰ−ＩＢインタフェースを介しての、電話回線シミュレータと加入者線路網シミュレータの設定などの各処理と、例えばＲＳ−２３２Ｃインタフェースを介しての、モデムの設定、ＰＰＰクライアントとしてのダイヤリング、および、ＦＴＰサーバへのログインおよびダウンロードなどの各処理を、それぞれモジュール（関数）化し、この関数をシーケンシャルにコールする内容のプログラムをＣ言語などの言語で作成し、そのプログラムを起動することにより、モデム評価を自動的に実施する構成としたことを特徴とする。
【００２２】
【発明の実施の形態】
以下、本発明の実施の形態を、図面により詳細に説明する。
【００２３】
図１は、本発明に係わるモデム評価システムの第１の構成例を示すブロック図であり、図２は、本発明に係わるモデム評価システムの第２の構成例を示すブロック図である。
【００２４】
図１において、１１は電話回線シミュレータ、１２は加入者線路網シミュレータ、１３は着信側ＰＣ（パーソナルコンピュータ）、１４は発呼側ＰＣ、１５は着信側モデム、１６は発呼側モデムである。
【００２５】
着信側ＰＣ１３と着信側モデム１５、および、発呼側ＰＣ１４と発呼側モデム１６は、それぞれＲＳ−２３２Ｃインタフェースで接続され、着信側モデム１５および発呼側モデム１６と加入者線路網シミュレータ１２、ならびに、この加入者線路網シミュレータ１２と電話回線シミュレータ１１のそれぞれはアナログ電話ケーブルで接続され、さらに、発呼側ＰＣ１４は、ＧＰ−ＩＢインタフェースにより加入者線路網シミュレータ１２および電話回線シミュレータ１１のそれぞれに接続されている。
【００２６】
着信側ＰＣ１３および発呼側ＰＣ１４のそれぞれは、ＣＰＵ（Central Processing Unit）や主メモリ、表示装置、入力装置、外部記憶装置等を有し、例えば光ディスク駆動装置を介してＣＤ−ＲＯＭに記録されたプログラムやデータを外部記憶装置内にインストールした後、この外部記憶装置から主メモリに読み込みＣＰＵで処理することにより、各処理部の機能を実行する。
【００２７】
例えば、発呼側ＰＣ１４には、設定処理部１と、発呼処理部２、データ処理部３、および、制御処理部４と評価処理制御部５を設けている。
【００２８】
このような構成とすることで、本例のモデム評価システムは、電話回線シミュレータ１１を用いて、発呼側ＰＣ１４から発信側モデム１６に発呼を促すことによって着信側モデム１５に接続している着信側ＰＣ１３と接続させ、発呼側ＰＣ１４から着信側ＰＣ１３にデータを伝送させることによってモデムの性能の評価を行う際、発呼側ＰＣ１４において、設定処理部１による、ＧＰ−ＩＢインタフェースを介して電話回線シミュレータ１１に回線障害設定処理と、発呼処理部２による、ＰＰＰプロトコルを用いてのダイヤルアップ処理と、データ処理部３による、ＦＴＰクライアントとしてのＦＴＰサーバへのログインおよびＦＴＰサーバとのデータの送受信処理とを、制御処理部４により、プログラムに基づきシーケンシャルに制御する。
【００２９】
尚、発呼側ＰＣ１４における評価処理制御部５は、設定処理部１、発呼処理部２、データ処理部３、制御処理部４のそれぞれの制御を含めた、発呼側ＰＣ１４の本モデム評価システムの動作に関する全体の処理を制御する機能を有する。
【００３０】
また、発呼側ＰＣ１４においては、このような、設定処理部１によるＧＰ−ＩＢインタフェースを介しての電話回線シミュレータ１１と加入者線路網シミュレータ１２の設定などの各処理と、発呼処理部２によるＲＳ−２３２Ｃインタフェースを介してのモデムの設定やＰＰＰクライアントとしてのダイヤリング処理、および、データ処理部３によるＦＴＰサーバへのログインおよびダウンロードなどの各処理を、それぞれモジュール（関数）化し、この関数をシーケンシャルにコールする内容のプログラムをＣ言語などの言語で作成し、そのプログラムを制御処理部４として起動することにより、モデム評価を自動的に実施する。以下、このようなモデム評価システムの詳細を説明する。
【００３１】
発呼側ＰＣ１４は、ＲＳ−２３２Ｃポートを介して、発呼側モデム１６を制御する。また、発呼側ＰＣ１４は、ＧＰ−ＩＢインタフェースを介して、電話回線シミュレータ１１および加入者線路網シミュレータ１２を制御する。
【００３２】
尚、着信側モデム１５がＶ．９０ディジタルモデムである場合には、ＩＳＤＮ（Integrated Services Digital Network）インタフェースを介して、着信側モデム１５と電話回線シミュレータ１１が直結される。
【００３３】
発呼側ＰＣ１４において、ＰＰＰプロトコルを用いての接続、ＦＴＰプロトコルを用いてのデータ伝送を行うために、プログラムを、それぞれ、ＲＦＣ（Request For Comments）１６６１、ＲＦＣ９５９の内容に基づいた処理を行うよう、作成する。
【００３４】
以下、本例のモデム評価システムの動作を説明する。
【００３５】
まず、評価開始前の事前準備として、着呼側ＰＣ１３においては、ＰＰＰサーバ機能を持つ任意のソフトウェアおよびＦＴＰサーバ機能を持つ任意のソフトウェアを起動し、それぞれのサーバに、発呼側ＰＣ１４のユーザＩＤ（識別子）およびそのパスワードを登録しておく。
【００３６】
また、ＦＴＰサーバ内部では、データ伝送の対象となるファイルをまとめて保存しているディレクトリを指定しておく。このことによって、モデム評価実施中は、発呼側ＰＣ１４からのＰＰＰ接続を受けることができ、また、ＦＴＰサーバとして動作する状態になる。
【００３７】
以下、評価を開始した後の、発呼側ＰＣ１４における各処理の内容とプログラム内での動作について説明する。
【００３８】
まず、発呼側ＰＣ１４は、設定処理部１により、電話回線シミュレータ１１および加入者線路網シミュレータ１２の回線障害を、所望の値に設定するために、設定値に対応する信号をＧＰ−ＩＢインタフェースに送る。
【００３９】
次に、発呼処理部２により、モデムを設定するためのＡＴコマンドをモデムに送るために、コマンドを形成する文字１バイトごとに、スタートビット、ストップビットを付加して、ＲＳ−２３２Ｃインタフェースが接続されているＣＯＭポートに送る。以降、ＣＯＭポートに送るビット列には、すべて、１バイトごとに、スタートビット、ストップビットを付加するものとする。
【００４０】
そして、発呼処理部２は、ＰＰＰクライアントとして接続するために、ＬＣＰメッセージパケットを作成し、ＣＯＭポートをインタフェースとしてＰＰＰサーバと受け渡しを行うことによって交渉した後、ＰＰＰサーバに登録した、ユーザー認証のためのユーザーＩＤおよびパスワードをパケット化して、ＣＯＭポートに送る。
【００４１】
発呼処理部２によるＰＰＰでの接続が確立した後、発呼側ＰＣ１４は、データ処理部３により、ＦＴＰサーバへのログインコマンドをパケット化して送り、送った後、ＦＴＰサーバに登録した、ユーザー認証のためのユーザーＩＤおよびパスワードを、それぞれパケット化してＣＯＭポートに送ることにより、ログインする。
【００４２】
ログイン後、データ処理部３は、ＦＴＰサーバへのファイル転送要求コマンドをパケット化してＣＯＭポートに送ることにより、ＣＯＭポートを介してのファイルのダウンロードを開始する。発呼側ＰＣ１４は、評価処理制御部５により、このときの時刻を、ダウンロード開始時刻として記録する。
【００４３】
さらに、評価処理制御部５は、データ受信終了後、この時刻をダウンロード終了時刻として記録した後、切断要求コマンドをパケット化してＣＯＭポートに送ることにより、切断する。
【００４４】
そして、評価処理制御部５は、受信したデータのバイト数を、データ伝送に要する時間で割ることにより、スループット値を計算する。
【００４５】
以上の手順を繰り返すことにより、モデム評価を自動的に実施する。
【００４６】
以上の説明では、ＰＰＰプロトコルを用いた場合について述べたが、発呼処理部２において、ＰＰＰプロトコルの代わりに、トランスポート層／ネットワーク層のプロトコルがＴＣＰ／ＩＰ層に限定されるＳＬＩＰ（Serial Line Internet Protocol）プロトコルを用いることも可能である。また、ＰＰＰｏＥプロトコルを用いたＡＤＳＬ（Asymmetric Digital Subscriber Line）モデムの評価に応用することも可能となる。
【００４７】
さらに、データ処理部３において、ＦＴＰプロトコルの代わりに、ＷＷＷ（World Wide Web）サーバとクライアント間での、ＨＴＴＰ（Hyper Text Transfer Protocol）プロトコルを使用してデータ伝送を行うことも可能である。
【００４８】
また、発呼側および着新側のモデムとしてディジタルモデムを用いる場合には、加入者線路網シミュレータ１２を用いず、発呼側モデムおよび着信側モデムと電話回線シミュレータ１１を、ＩＳＤＮインタフェースを介して直結する。
【００４９】
また、図２に示すように、ディジタルモデム機能付きリモート・アクセス・サーバ１８を、着信側モデムとして使用する場合には、リモート・アクセス・サーバ側のＬＡＮ（Local Area Network）内のＰＣを着信側ＰＣ１３ａとして使用することも可能である。
【００５０】
図２に示すモデム評価システムでは、電話回線シミュレータ１１ａ、加入者線路網シミュレータ１２ａ、着信側ＰＣ１３ａ、発呼側ＰＣ１４ａ、発呼側モデム１６ａと共に、ディジタルモデム機能付きリモートアクセスサーバ１８とハブ１９が設けられている。
【００５１】
着信側ＰＣ１３ａとハブ１９およびディジタルモデム機能付きリモートアクセスサーバ１８間はＬＡＮで接続され、ディジタルモデム機能付きリモートアクセスサーバ１８と加入者線路網シミュレータ１２ａ間はＩＳＤＮインタフェースで接続されている。
【００５２】
このような接続構成において、発呼側ＰＣ１４ａの設定処理部１ａ、発呼処理部２ａ、データ処理部３ａ、制御処理部４ａ、評価処理制御部５ａにより、図１で説明した動作と同様にして、モデム評価を自動的に実施する。
【００５３】
以上、図１および図２を用いて説明したように、本例のモデム評価システムでは、コンピュータ端末からの、ＧＰ−ＩＢインタフェースを介しての、電話回線シミュレータと加入者線路網シミュレータの設定などの各処理と、例えばＲＳ−２３２Ｃインタフェースを介しての、モデムの設定、ＰＰＰクライアントとしてのダイヤリング、および、ＦＴＰサーバへのログインおよびダウンロードなどの各処理を、それぞれモジュール（関数）化し、この関数をシーケンシャルにコールする内容のプログラムをＣ言語などの言語で作成し、そのプログラムを起動することにより、モデム評価を自動的に実施する。
【００５４】
このことにより、現在の使用状態に近い、ＰＰＰプロトコルを用いた環境のもとでのモデム評価を、自動的に実施することができ、回線の種類をはじめとする、膨大な数のパラメータに対する評価を、短時間に行うことができる。
【００５５】
尚、本発明は、図１および図２を用いて説明した例に限定されるものではなく、その要旨を逸脱しない範囲において種々変更可能である。例えば、本例のコンピュータ端末の構成例として、光ディスクの駆動装置を用いている、ものような装置の無いコンピュータ構成としても良く、この場合、プログラムの記録媒体として、ＣＤ−ＲＯＭではなくＦＤ（Flexible Disk）等を用いることでも良い。そして、プログラムのインストールに関しても、通信装置を介してネットワーク経由でプログラムをダウンロードしてインストールすることでも良い。
【００５６】
【発明の効果】
本発明によれば、現在の使用状態に近い、ＰＰＰプロトコルを用いた環境のもとでのモデム評価を、自動的に実施することができ、回線の種類をはじめとする、膨大な数のパラメータに対する評価を、短時間に、しかもユーザーの作業量を大幅に減少させながら実施することが可能である。
【図面の簡単な説明】
【図１】本発明に係わるモデム評価システムの第１の構成例を示すブロック図である。
【図２】本発明に係わるモデム評価システムの第２の構成例を示すブロック図である。
【図３】従来の電話回線シミュレータを用いたモデム評価システムの第１の構成を示すブロック図である。
【図４】従来の電話回線シミュレータを用いたモデム評価システムの第２の構成を示すブロック図である。
【符号の説明】
１，１ａ：設定処理部、２，２ａ：発呼処理部、３，３ａ：データ処理部、４，４ａ：制御処理部、５，５ａ：評価処理制御部、１１，１１ａ，１１ｂ，１１ｃ：電話回線シミュレータ、１２，１２ａ，１２ｂ，１２ｃ：加入者線路網シミュレータ、１３，１３ａ，１３ｂ，１３ｃ：着呼側ＰＣ（「着呼側パーソナルコンピュータ」）、１４，１４ａ，１４ｂ：発呼側ＰＣ（「発呼側パーソナルコンピュータ」）、１５，１５ａ，１５ｂ，１５ｃ：着信側モデム、１６，１６ａ，１６ｂ，１６ｃ：発呼側モデム、１７：発呼側・着呼側共通端末、１８：ディジタルモデム機能付きリモート・アクセス・サーバ、１９：ハブ。
【図１】
0003807334.tif 000002
【図２】
0003807334.tif 000003
【図３】
0003807334.tif 000004
【図４】
0003807334.tif 000005